【手続補正書】
【提出日】平成16年11月9日(2004.11.9)
【手続補正１】
【補正対象書類名】特許請求の範囲
【補正対象項目名】全文
【補正方法】変更
【補正の内容】
【特許請求の範囲】
【請求項１】
ポリ（アリーレンエーテル）と、
アクリロイルモノマーと、
アリルモノマーと
を含んでなる硬化性樹脂組成物であって、当該硬化性樹脂組成物が粉末であり、上記ポリ（アリーレンエーテル）が、次式の構造を有する１種以上の一価フェノールの重合生成物から実質的になるポリ（アリーレンエーテル）の末端封鎖によって製造された末端封鎖ポリ（アリーレンエーテル）である、硬化性樹脂組成物。
【化１】
2004524412.tif 000001
（式中、、Ｒ1〜Ｒ4は各々独立に水素、ハロゲン、第一又は第二Ｃ1〜Ｃ12アルキル、Ｃ2〜Ｃ12アルケニル、Ｃ2〜Ｃ12アルキニル、Ｃ1〜Ｃ12アミノアルキル、Ｃ1〜Ｃ12ヒドロキシアルキル、フェニル、Ｃ1〜Ｃ12ハロアルキル、Ｃ1〜Ｃ12炭化水素オキシ、及びハロゲン原子と酸素原子とが２以上の炭素原子で隔てられたＣ2〜Ｃ12ハロ炭化水素オキシからなる群から選択される。）
【請求項２】
１０〜５０重量部のポリ（アリーレンエーテル）と
５〜６０重量部のアクリロイルモノマーと、
２０〜８０重量部のアリルモノマーと
（ただし、すべての重量部は樹脂１００重量部を基準とする。）を含んでなる硬化性樹脂組成物であって、当該硬化性樹脂組成物が粉末であり、上記ポリ（アリーレンエーテル）が、次式の構造を有する１種以上の一価フェノールの重合生成物から実質的になるポリ（アリーレンエーテル）の末端封鎖によって製造された末端封鎖ポリ（アリーレンエーテル）である、硬化性樹脂組成物。
【化２】
2004524412.tif 000002
（式中、、Ｒ1〜Ｒ4は各々独立に水素、ハロゲン、第一又は第二Ｃ1〜Ｃ12アルキル、Ｃ2〜Ｃ12アルケニル、Ｃ2〜Ｃ12アルキニル、Ｃ1〜Ｃ12アミノアルキル、Ｃ1〜Ｃ12ヒドロキシアルキル、フェニル、Ｃ1〜Ｃ12ハロアルキル、Ｃ1〜Ｃ12炭化水素オキシ、及びハロゲン原子と酸素原子とが２以上の炭素原子で隔てられたＣ2〜Ｃ12ハロ炭化水素オキシからなる群から選択される。）
【請求項３】
ポリ（アリーレンエーテル）と、
アクリロイルモノマーと、
アリルモノマーと
の反応生成物を含んでなる硬化樹脂組成物であって、当該硬化樹脂組成物が硬化性粉末樹脂組成物の硬化生成物であり、上記ポリ（アリーレンエーテル）が、次式の構造を有する１種以上の一価フェノールの重合生成物から実質的になるポリ（アリーレンエーテル）の末端封鎖によって製造された末端封鎖ポリ（アリーレンエーテル）である、硬化性樹脂組成物。
【化３】
2004524412.tif 000003
（式中、、Ｒ1〜Ｒ4は各々独立に水素、ハロゲン、第一又は第二Ｃ1〜Ｃ12アルキル、Ｃ2〜Ｃ12アルケニル、Ｃ2〜Ｃ12アルキニル、Ｃ1〜Ｃ12アミノアルキル、Ｃ1〜Ｃ12ヒドロキシアルキル、フェニル、Ｃ1〜Ｃ12ハロアルキル、Ｃ1〜Ｃ12炭化水素オキシ、及びハロゲン原子と酸素原子とが２以上の炭素原子で隔てられたＣ2〜Ｃ12ハロ炭化水素オキシからなる群から選択される。）
【請求項４】
ポリ（アリーレンエーテル）が、５００マイクログラム／グラム未満の遊離ヒドロキシル基含有量を有する、請求項１乃至請求項３のいずれか１項記載の硬化性樹脂組成物。
【請求項５】
末端封鎖ポリ（アリーレンエーテル）が次式の構造を有する末端封鎖基を含む、請求項１乃至請求項４のいずれか１項記載の硬化性樹脂組成物。
【化４】
2004524412.tif 000004
（式中、、Ｒ6〜Ｒ8は各々独立に水素、Ｃ1〜Ｃ12アルキル、Ｃ2〜Ｃ12アルケニル、Ｃ6〜Ｃ18アリール、Ｃ7〜Ｃ18混成（アルキル−アリール）、Ｃ2〜Ｃ12アルコキシカルボニル、Ｃ7〜Ｃ18アリールオキシカルボニル、Ｃ8〜Ｃ18混成（アルキル−アリール）オキシカルボニル、ニトリル、ホルミル、カルボキシレート、イミデート及びチオカルボキシレートからなる群から選択される。）
【請求項６】
アクリロイルモノマーが２以上のアクリロイル部分を含む、請求項１乃至請求項５のいずれか１項記載の硬化性樹脂組成物。
【請求項７】
アクリロイルモノマーが、トリメチロールプロパントリメタクリレート、トリメチロールプロパントリアクリレート、１，６−ヘキサンジオールジメタクリレート、１，６−ヘキサンジオールジアクリレート、エチレングリコールジメタクリレート、エチレングリコールジアクリレート、プロピレングリコールジメタクリレート、プロピレングリコールジアクリレート、シクロヘキサンジメタノールジメタクリレート、シクロヘキサンジメタノールジアクリレート、ブタンジオールジメタクリレート、ブタンジオールジアクリレート、ジエチレングリコールジメタクリレート、ジエチレングリコールジアクリレート、トリエチレングリコールジメタクリレート、トリエチレングリコールジアクリレート、イソボルニルメタクリレート、イソボルニルアクリレート、メチルメタクリレート、メチルアクリレート及び以上のアクリレートモノマーの１以上を含む混合物からなる群から選択される、請求項１乃至請求項６のいずれか１項記載の硬化性樹脂組成物。
【請求項８】
アリルモノマーが２以上のアリル部分を含む、請求項１乃至請求項７のいずれか１項記載の硬化性樹脂組成物。
【請求項９】
アリルモノマーが、アリルアルコール、メタリルアルコール、２−エチル−２−プロペン−１−オール、ギ酸アリル、酢酸アリル、酪酸アリル、安息香酸アリル、酢酸メタリル、脂肪酸アリルエステル、アリルメチルエーテル、アリルエチルエーテル、アリルｔｅｒｔ−ブチルエーテル、アリルメチルベンジルエーテル、アルコキシル化アリル系アルコール、アジピン酸ジアリル、シトラコン酸ジアリル、ジグリコール酸ジアリル、ジアリルエーテル、フマル酸ジアリル、イソフタル酸ジアリル、イタコン酸ジアリル、マレイン酸ジアリル、フタル酸ジアリル、テレフタル酸ジアリル、アコニット酸トリアリル、シアヌル酸トリアリル、イソシアヌル酸トリアリル、リン酸トリアリル、トリメリト酸トリアリル、ｏ−ケイ酸テトラアリル及び以上のアリルモノマーの１以上を含む混合物からなる群から選択される、請求項１乃至請求項８のいずれか１項記載の硬化性樹脂組成物。
【請求項１０】
当該組成物が、芳香環にアルケニル置換基が直接結合したアルケニル芳香族モノマーを実質的に含まない、請求項１乃至請求項９のいずれか１項記載の硬化性樹脂組成物。
【請求項１１】
粉末が、いかなる寸法においても３００マイクロメートルを超える粒子を実質的に含まない、請求項１乃至請求項１０のいずれか１項記載の硬化性樹脂組成物。
【請求項１２】
５０℃を超える融解温度を有する、請求項１乃至請求項１１のいずれか１項記載の硬化性樹脂組成物。
【請求項１３】
ＡＳＴＭ  Ｄ５０４５に従って測定して０．９Ｍｐａ−ｍ1/2以上の破壊靭性値（Ｋ１Ｃ）を有する、請求項３記載の硬化樹脂組成物。
【請求項１４】
請求項３記載の組成物を含んでなる物品。
【請求項１５】
硬化性樹脂組成物の製造方法であって、
ポリ（アリーレンエーテル）とアリルモノマーとをブレンドして第一の均質ブレンドを形成し、
第一の均質ブレンドとアクリロイルモノマーとをブレンドして第二の均質ブレンドを形成し、
第二の均質ブレンドを加工して硬化性粉末を形成する
ことを含んでなり、上記ポリ（アリーレンエーテル）が、次式の構造を有する１種以上の一価フェノールの重合生成物から実質的になるポリ（アリーレンエーテル）の末端封鎖によって製造された末端封鎖ポリ（アリーレンエーテル）である、方法。
【化５】
2004524412.tif 000005
（式中、Ｒ1〜Ｒ4は各々独立に水素、ハロゲン、第一又は第二Ｃ1〜Ｃ12アルキル、Ｃ2〜Ｃ12アルケニル、Ｃ2〜Ｃ12アルキニル、Ｃ1〜Ｃ12アミノアルキル、Ｃ1〜Ｃ12ヒドロキシアルキル、フェニル、Ｃ1〜Ｃ12ハロアルキル、Ｃ1〜Ｃ12炭化水素オキシ、及びハロゲン原子と酸素原子とが２以上の炭素原子で隔てられたＣ2〜Ｃ12ハロ炭化水素オキシからなる群から選択される。）
【請求項１６】
硬化性組成物の製造方法であって、
２０〜８０重量部のアリルモノマーを１０〜５０重量部のポリ（アリーレンエーテル）とブレンドして第一の均質ブレンドを形成し、
第一の均質ブレンドを５〜６０重量部のアクリロイルモノマーとブレンドして第二の均質ブレンドを形成し、
第二の均質ブレンドを−７５℃未満の温度で粉砕して第一の硬化性粉末を形成し、
第一の粉末を硬化触媒とブレンドして第二の硬化性粉末を形成する
（ただし、すべての重量部は樹脂１００重量部を基準とする。）ことを含んでなり、上記ポリ（アリーレンエーテル）が、次式の構造を有する１種以上の一価フェノールの重合生成物から実質的になるポリ（アリーレンエーテル）の末端封鎖によって製造された末端封鎖ポリ（アリーレンエーテル）である、方法。
【化６】
2004524412.tif 000006
（式中、Ｒ1〜Ｒ4は各々独立に水素、ハロゲン、第一又は第二Ｃ1〜Ｃ12アルキル、Ｃ2〜Ｃ12アルケニル、Ｃ2〜Ｃ12アルキニル、Ｃ1〜Ｃ12アミノアルキル、Ｃ1〜Ｃ12ヒドロキシアルキル、フェニル、Ｃ1〜Ｃ12ハロアルキル、Ｃ1〜Ｃ12炭化水素オキシ、及びハロゲン原子と酸素原子とが２以上の炭素原子で隔てられたＣ2〜Ｃ12ハロ炭化水素オキシからなる群から選択される。）